(57)【要約】【解決手段】  入力が１つで出力が複数の流量計（２００）が提供されている。流量計（２００）は、吸入導管（２０２）と分流器（２０３）を含んでいる。流量計（２００）は、更に、分流器（２０３）に連結され、第１出力導管（２０６）を含んでおり、第１流量信号を生成するように構成されている第１流量センサー要素（２０４）を含んでいる。流量計（２００）は、更に、分流器（２０３）に連結され、第２出力導管（２０７）を含んでおり、第２流量信号を生成するように構成されている、少なくとも第２流量センサー要素（２０５）を含んでいる。入力の流れは、第１出力導管（２０６）を通して第１流量センサー要素（２０４）で計量することもでき、第２出力導管（２０７）を通して第２流量センサー要素（２０５）で計量することもでき、又は、同時に、第１出力導管（２０６）を通して第１流量センサー要素（２０４）で、そして第２出力導管（２０７）を通して第２流量センサー要素（２０５）で計量することもできる。【選択図】          図２
2008531990.tif 000002
【特許請求の範囲】
【請求項１】
入力が１つで出力が複数の流量計（２００）において、
流体の流れを受け入れるようになっている吸入導管（２０２）と、
前記吸入導管（２０２）に連結されており、前記流体の流れを少なくとも第１の流れと第２の流れに分割する分流器（２０３）と、
前記分流器（２０３）に連結されており、第１出力導管（２０６）を含み、前記第１の流れに対応する第１流量信号を生成するように構成されている第１流量センサー要素（２０４）と、
前記分流器（２０３）に連結されており、第２出力導管（２０７）を含み、前記第２の流れに対応する第２流量信号を生成するように構成されている、少なくとも第２流量センサー要素（２０５）と、を備えており、
前記入力の流れは、前記第１出力導管（２０６）を通して前記第１流量センサー要素（２０４）で計量することもでき、前記第２出力導管（２０７）を通して前記第２流量センサー要素（２０５）で計量することもでき、又は、同時に、前記第１出力導管（２０６）を通して前記第１流量センサー要素（２０４）で、そして前記第２出力導管（２０７）を通して前記第２流量センサー要素（２０５）で計量することもできる、流量計。
【請求項２】
前記第１流量センサー要素（２０４）と前記第２流量センサー要素（２０５）は、コリオリ流量計センサー要素を備えている、請求項１に記載の流量計（２００）。
【請求項３】
前記流体の流れは、燃料、又は圧縮天然ガス（ＣＮＧ）又は液化石油ガス（ＬＰＧ）の様な代替燃料を備えている、請求項１に記載の流量計（２００）。
【請求項４】
前記分流器（２０３）、前記第１流量センサー要素（２０４）、前記第２流量センサー要素（２０５）、前記吸入導管（２０２）の少なくとも一部分、前記第１出力導管（２０６）の少なくとも一部分、及び前記第２出力導管（２０７）の少なくとも一部分を含んでいるケーシング（２０１）を更に備えている、請求項１に記載の流量計（２００）。
【請求項５】
前記分流器（２０３）は、前記流体の流れを前記第１の流れと前記第２の流れに分割し、前記第１の流れと前記第２の流れの間の角度は約４５度である、請求項１に記載の流量計（２００）。
【請求項６】
前記分流器（２０３）は、前記流体の流れを前記第１の流れと前記第２の流れに分割し、前記第１の流れと前記第２の流れの間の角度は約９０度である、請求項１に記載の流量計（２００）。
【請求項７】
前記第１流量センサー要素（２０４）と前記第２流量センサー要素（２０５）は、
前記第１の流れを搬送するための少なくとも１つの第１流れ導管（１０３ａ）と、
前記第２の流れを搬送するための少なくとも１つの第２流れ導管（１０３ｂ）と、
前記少なくとも１つの第１流れ導管（１０３ａ）を振動させるための第１駆動機構（１０４ａ）と、
前記少なくとも１つの第２流れ導管（１０３ｂ）を振動させるための第２駆動機構（１０４ｂ）と、
前記少なくとも１つの第１流れ導管（１０３ａ）に生じる振動運動を測定して前記第１流量信号を生成するための２つ又はそれ以上の第１ピックオフセンサー（１０５ａ）及び（１０５ａ’）と、
前記少なくとも１つの第２流れ導管（１０３ｂ）に生じる振動運動を測定して前記第２流量信号を生成するための２つ又はそれ以上の第２ピックオフセンサー（１０５ｂ）及び（１０５ｂ’）と、を備えている、請求項１に記載の流量計（２００）。
【請求項８】
前記第１流量信号と前記第２流量信号を受信し、対応する第１燃料流量測定値と、対応する第２燃料流量測定値を生成する流量計電子機器（２０）を更に備えている、請求項１に記載の流量計（２００）。
【請求項９】
入力が１つで出力が複数の流量計（２００）において、
流体の流れを受け入れるようになっている吸入導管（２０２）と、
前記吸入導管（２０２）に連結されており、前記流体の流れを少なくとも第１の流れと第２の流れに分割する分流器（２０３）と、
前記分流器（２０３）に連結されており、第１出力導管（２０６）を含み、前記第１の流れに対応する第１流量信号を生成するように構成されている第１流量センサー要素（２０４）と、
前記分流器（２０３）に連結されており、第２出力導管（２０７）を含み、前記第２の流れに対応する第２流量信号を生成するように構成されている、少なくとも第２流量センサー要素（２０５）と、
前記第１流量信号と前記第２流量信号を受信し、対応する第１燃料流量測定値と、対応する第２燃料流量測定値を生成する流量計電子機器（２０）と、
前記分流器（２０３）、前記第１流量センサー要素（２０４）、前記第２流量センサー要素（２０５）、前記流量計電子機器（２０）、前記吸入導管（２０２）の少なくとも一部分、前記第１出力導管（２０４）の少なくとも一部分、及び前記第２出力導管（２０５）の少なくとも一部分を含んでいるケーシング（２０１）と、を備えており、
前記入力の流れは、前記第１出力導管（２０６）を通して前記第１流量センサー要素（２０４）で計量することもでき、前記第２出力導管（２０７）を通して前記第２流量センサー要素（２０５）で計量することもでき、又は、同時に、前記第１出力導管（２０６）を通して前記第１流量センサー要素（２０４）で、そして前記第２出力導管（２０７）を通して前記第２流量センサー要素（２０５）で計量することもできる、流量計。
【請求項１０】
前記第１流量センサー要素（２０４）と前記第２流量センサー要素（２０５）は、コリオリ流量計センサー要素を備えている、請求項９に記載の流量計（２００）。
【請求項１１】
前記流体の流れは、燃料、又は圧縮天然ガス（ＣＮＧ）又は液化石油ガス（ＬＰＧ）の様な代替燃料を備えている、請求項９に記載の流量計（２００）。
【請求項１２】
前記分流器（２０３）は、前記流体の流れを前記第１の流れと前記第２の流れに分割し、前記第１の流れと前記第２の流れの間の角度は約４５度である、請求項９に記載の流量計（２００）。
【請求項１３】
前記分流器（２０３）は、前記流体の流れを前記第１の流れと前記第２の流れに分割し、前記第１の流れと前記第２の流れの間の角度は約９０度である、請求項９に記載の流量計（２００）。
【請求項１４】
前記第１流量センサー要素（２０４）と前記第２流量センサー要素（２０５）は、
前記第１の流れを搬送するための少なくとも１つの第１流れ導管（１０３ａ）と、
前記第２の流れを搬送するための少なくとも１つの第２流れ導管（１０３ｂ）と、
前記少なくとも１つの第１流れ導管（１０３ａ）を振動させるための第１駆動機構（１０４ａ）と、
前記少なくとも１つの第２流れ導管（１０３ｂ）を振動させるための第２駆動機構（１０４ｂ）と、
前記少なくとも１つの第１流れ導管（１０３ａ）に生じる振動運動を測定して前記第１流量信号を生成するための２つ又はそれ以上の第１ピックオフセンサー（１０５ａ）及び（１０５ａ’）と、
前記少なくとも１つの第２流れ導管（１０３ｂ）に生じる振動運動を測定して前記第２流量信号を生成するための２つ又はそれ以上の第２ピックオフセンサー（１０５ｂ）及び（１０５ｂ’）と、を備えている、請求項９に記載の流量計（２００）。
【請求項１５】
入力が１つで出力が複数の流量計（２００）を形成する方法において、
流体の流れを受け入れるようになっている吸入導管（２０２）を提供する段階と、
前記吸入導管（２０２）に連結されており、前記流体の流れを、少なくとも第１の流れと第２の流れに分割する分流器（２０３）を提供する段階と、
前記分流器（２０３）に連結されており、第１出力導管（２０６）を含み、前記第１の流れに対応する第１流量信号を生成するように構成されている第１流量センサー要素（２０４）を提供する段階と、
前記分流器（２０３）に連結されており、第２出力導管（２０７）を含み、前記第２の流れに対応する第２流量信号を生成するように構成されている、少なくとも第２流量センサー要素（２０５）を提供する段階と、を含んでおり、
前記入力の流れは、前記第１出力導管（２０６）を通して前記第１流量センサー要素（２０４）で計量することもでき、前記第２出力導管（２０７）を通して前記第２流量センサー要素（２０５）で計量することもでき、又は、同時に、前記第１出力導管（２０６）を通して前記第１流量センサー要素（２０４）で、そして前記第２出力導管（２０７）を通して前記第２流量センサー要素（２０５）で計量することもできる、方法。
【請求項１６】
前記第１流量センサー要素（２０４）と前記第２流量センサー要素（２０５）は、コリオリ流量計センサー要素を備えている、請求項１５に記載の方法。
【請求項１７】
前記流体の流れは、燃料、又は圧縮天然ガス（ＣＮＧ）又は液化石油ガス（ＬＰＧ）の様な代替燃料を備えている、請求項１５に記載の方法。
【請求項１８】
前記分流器（２０３）、前記第１流量センサー要素（２０４）、前記第２流量センサー要素（２０５）、前記吸入導管（２０２）の少なくとも一部分、前記第１出力導管（２０６）の少なくとも一部分、及び前記第２出力導管（２０７）の少なくとも一部分を含んでいるケーシング（２０１）を提供する段階と、
前記第１流量信号と前記第２流量信号を受信し、対応する第１燃料流量測定値と、対応する第２燃料流量測定値を生成する流量計電子機器（２０）を提供する段階と、を更に含んでいる、請求項１５に記載の方法。
【請求項１９】
前記分流器（２０３）は、前記流体の流れを前記第１の流れと前記第２の流れに分割し、前記第１の流れと前記第２の流れの間の角度は約４５度である、請求項１５に記載の方法。
【請求項２０】
前記分流器（２０３）は、前記流体の流れを前記第１の流れと前記第２の流れに分割し、前記第１の流れと前記第２の流れの間の角度は約９０度である、請求項１５に記載の方法。
【発明の詳細な説明】
【技術分野】
【０００１】
本発明は、入力が１つで出力が複数の流量計に関しており、より具体的には、燃料及び代替燃料を計量するのに用いられる、入力が１つで出力が複数の流量計に関する。
【背景技術】
【０００２】
コリオリ質量流量計の様な振動導管センサーは、通常、流れる材料が入っている振動導管の運動を検出することによって作動する。質量流量、密度などの様な導管内の材料に関わる特性は、導管に関係付けられている運動変換器から受信した測定信号を処理することによって求められる。振動する材料が充填されているシステムの信号モードは、一般に、物質が中に入っている導管と、その中に入っている物質との質量、剛性及び減衰特性の組み合わせの影響を受ける。
【０００３】
代表的なコリオリ質量流量計は、パイプライン又は他の搬送システムに埋め込まれて接続されており、流体、スラリーなどシステム内の材料を運ぶ１つ又は複数の導管を含んでいる。各導管は、例えば、単純な曲げ、ねじり、半径方向及び連成のモードを含む一組の固有振動モードを有していると考えられる。或る代表的なコリオリ質量流量測定装置では、導管は、材料が導管を通って流れるときに、１つ又は複数の振動モードで加振され、導管の動きは、導管に沿って間隔を空けて配置されている複数の点で測定される。加振は、通常アクチュエータで、例えば、音声コイル型ドライバの様な導管を周期的に摂動する電子機械的装置で、行われる。質量流量は、変換器の場所における動きの間の時間遅延又は位相差によって求められる。２つのその様な変換器（又はピックオフセンサー）は、通常、単数又は複数の流れの導管の振動応答を測定するために利用され、通常、アクチュエーターの上流と下流の位置に配置される。２つのピックオフセンサーは、２つの独立した対を成す配線の様なケーブルによって電子機器に接続されている。機器は、２つのピックオフセンサーから信号を受信し、質量流量の測定値を導き出すため、その信号を処理する。
【０００４】
流量計は、多種多様な流体の質量流量測定を実行するのに用いられる。コリオリ流量計を使用できる可能性のある１つの領域は、代替燃料の計量及び分注を行う領域である。代替燃料市場は、汚染に関する増大する懸念に応じて、更には無鉛ガソリン及び他の一般的な燃料のコスト及び入手性に関して増大する懸念に応じて、拡大し続けている。実際、代替燃料の使用を促進する法律を制定することにより多くの政府が関与している。
【０００５】
代替燃料市場でコリオリ計を使用する機会は、乗用車、バスなどの車両に補給するときである。先行技術では、個々の車両への補給は、補給ステーションで、従来型のガソリンポンプを使って、或いは代替燃料では圧縮天然ガス（ＣＮＧ）分注器を使って実行されてきた。代表的な従来型のガソリン燃料分注器は、２つの車両に同時に補給できるように、２つの個別の独立した計器を必要としている。しかしながら、代替燃料の燃料ポンプ全体としてのコストと寸法は、ポンプの製造がその様な成長している業界で競合力のあるものとするために、最小化しなければならない。従って、２つの燃料流量を同時に測定できる費用対効果に優れた燃料計を開発するという難題がある。
【発明の開示】
【課題を解決するための手段】
【０００６】
本発明は、代替燃料の分注及び計量の様な、燃料の分注及び計量に関係する問題の解決に役立つ。
【０００７】
入力が１つで出力が複数の流量計が、本発明の或る実施形態によって提供されている。流量計は、流体の流れを受け入れるようになっている吸入導管と、吸入導管に連結されている分流器とを備えている。分流器は、流体の流れを、少なくとも第１の流れと第２の流れに分割する。流量計は、更に、分流器に連結され、第１出力導管を含み、第１の流れに対応する第１流量信号を生成するように構成されている第１流量センサー要素を備えている。流量計は、更に少なくとも、分流器に連結され、第２出力導管を含み、第２の流れに対応する第２流量信号を生成するように構成されている第２流量センサー要素を備えている。入力流れは、第１出力導管を通して第１流量センサー要素によって計量することもでき、第２出力導管を通して第２流量センサー要素によって計量することもでき、又は同時に、第１出力導管を通して第１流量センサー要素によって、そして第２出力導管を通して第２流量センサー要素によって計量することもできる。
【０００８】
入力が１つで出力が複数の流量計が、本発明の或る実施形態によって提供されている。流量計は、流体の流れを受け入れるようになっている吸入導管と、吸入導管に連結されている分流器とを備えている。分流器は、流体の流れを、少なくとも第１の流れと第２の流れに分割する。流量計は、更に、分流器に連結され、第１出力導管を含み、第１の流れに対応する第１流量信号を生成するように構成されている第１流量センサー要素を備えている。流量計は、更に少なくとも、分流器に連結され、第２出力導管を含み、第２の流れに対応する第２流量信号を生成するように構成されている、第２流量センサー要素を備えている。流量計は、更に、第１流量信号と第２流量信号を受信し、対応する第１燃料流量測定値と対応する第２燃料流量測定値を生成する流量計電子機器を備えている。流量計は、更に、分流器、第１流量センサー要素、第２流量センサー要素、流量計電子機器、吸入導管の少なくとも一部分、第１出力導管の少なくとも一部分、及び第２出力導管の少なくとも一部分を含んでいるケーシングを備えている。入力流れは、第１出力導管を通して第１流量センサー要素によって計量することもでき、第２出力導管を通して第２流量センサー要素によって計量することもでき、又は同時に、第１出力導管を通して第１流量センサー要素によって、そして第２出力導管を通して第２流量センサー要素によって計量することもできる。
【０００９】
入力が１つで出力が複数の流量計を形成する方法が、本発明の或る実施形態によって提供されている。本方法は、流体の流れを受け入れるようになっている吸入導管を提供する段階と、吸入導管に連結されている分流器を提供する段階とを含んでいる。分流器は、流体の流れを、少なくとも第１の流れと第２の流れに分割する。本方法は、更に、分流器に連結され、第１出力導管を含んでおり、第１の流れに対応する第１流量信号を生成するように構成されている第１流量センサー要素を提供する段階を含んでいる。本方法は、更に少なくとも、分流器に連結され、第２出力導管を含んでおり、第２流れに対応する第２流量信号を生成するように構成されている第２流量センサー要素を提供する段階を含んでいる。入力流れは、第１出力導管を通して第１流量センサー要素によって計量してもよいし、第２出力導管を通して第２流量センサー要素によって計量してもよいし、又は同時に、第１出力導管を通して第１流量センサー要素によって、そして第２出力導管を通して第２流量センサー要素によって計量してもよい。
【００１０】
或る態様では、第１流量センサー要素と第２流量センサー要素は、コリオリ流量計センサー要素を備えている。
【００１１】
別の態様では、流体の流れは、燃料、又は圧縮天然ガス（ＣＮＧ）又は液化石油ガス（ＬＰＧ）の様な代替燃料を備えている。
【００１２】
更に別の態様では、流量計は、更に、分流器、第１流量センサー要素、少なくとも第２流量センサー要素、吸入導管の少なくとも一部分、第１出力導管の少なくとも一部分、及び第２出力導管の少なくとも一部分を含んでいるケーシングを備えている。
【００１３】
更に別の態様では、分流器は、流体の流れを第１の流れと第２の流れに分割し、第１の流れと第２の流れの間の角度は、約４５度である。
【００１４】
更に別の態様では、分流器は、流体の流れを第１の流れと第２の流れに分割し、第１の流れと第２の流れの間の角度は、約９０度である。
【００１５】
更に別の態様では、第１流量センサー要素と第２流量センサー要素は、第１の流れを搬送するための少なくとも１つの第１流れ導管と、第２の流れを搬送するための少なくとも１つの第２流れ導管と、少なくとも１つの第１流れ導管を振動させるための第１駆動機構と、少なくとも１つの第２流れ導管を振動させるための第２駆動機構と、少なくとも１つの第１流れ導管に生じる振動運動を測定して第１流量信号を生成するための２つ又はそれ以上の第１ピックオフセンサーと、少なくとも１つの第２流れ導管に生じる振動運動を測定して第２流量信号を生成するための２つ又はそれ以上の第２ピックオフセンサーと、を備えている。
【００１６】
更に別の態様では、流量計は、更に、第１流量信号と第２流量信号を受信し、対応する第１燃料流量測定値と対応する第２燃料流量測定値を生成する流量計電子機器を備えている。
【発明を実施するための最良の形態】
【００１７】
図１−４と以下の説明は、当業者に本発明の最良の形態を作成し使用する方法を教示するため、具体的な例を提示している。本発明の原理を教示するため、幾つかの従来型の態様を簡素化又は省略している。当業者には理解頂けるように、これらの例には本発明の範囲内で様々な変更を施すことができる。当業者は理解頂けるように、以下に記載する特徴を様々な方法で組み合わせると、本発明を多様に変化させることができる。結果的に、本発明は、以下に説明する具体的な例に限定されるのではなく、特許請求の範囲とその等価物によってのみ限定される。
【００１８】
図１は、流量計アッセンブリ１０と流量計電子機器２０を備えたコリオリ流量計５を示している。流量計電子機器２０は、リード線１００を介して計器アッセンブリ１０に接続されており、経路２６を通して密度、質量流量、体積流量、総質量流量、温度及び他の情報を提供する。当業者には自明であるが、本発明は、駆動機構、ピックオフセンサー、流れ導管の数、又は振動の作動モードに関係無く、どの様な型式のコリオリ流量計にも使用することができる。
【００１９】
流量計アッセンブリ１０は、一対のフランジ１０１と１０１’、マニホルド１０２と１０２’、駆動機構１０４、ピックオフセンサー１０５−１０５’、及び流れ導管１０３Ａと１０３Ｂを含んでいる。駆動機構１０４とピックオフセンサー１０５及び１０５’は、流れ導管１０３Ａと１０３Ｂに接続されている。
【００２０】
フランジ１０１と１０１’は、マニホルド１０２と１０２’に取り付けられている。マニホルド１０２と１０２’は、スペーサー１０６の互いに反対側の端部に取り付けられている。スペーサー１０６は、マニホルド１０２と１０２’の間の間隔を維持して、流れ導管１０３Ａと１０３Ｂの望ましくない振動を防ぐ。流量計アッセンブリ１０が、測定対象物質を搬送する導管システム（図示せず）に挿入されると、物質は、フランジ１０１を通って、流量計アッセンブリ１０に入り、入口マニホルド１０２に送られ、全量の物質が流れ導管１０３Ａと１０３Ｂへ送られ、流れ導管１０３Ａと１０３Ｂを通って出口マニホルド１０２’に戻り、そこでフランジ１０１’を通って流量計アッセンブリ１０を出る。
【００２１】
流れ導管１０３Ａと１０３Ｂは、それぞれ、曲げ軸Ｗ‐ＷとＷ’‐Ｗ’に関して実質的に同じ質量分布、慣性モーメント及び弾性係数を有するように、選択され、入口マニホルド１０２と出口マニホルド１０２’に適切に取り付けられている。流れ導管は、マニホルドから外向きに、基本的に平行に伸張している。
【００２２】
流れ導管１０３Ａと１０３Ｂは、駆動機構１０４で、それぞれの曲げ軸ＷとＷ’の周りに反対方向に、流量計の一次位相外れ曲げモードと呼ばれるモードで駆動される。駆動機構１０４は、多くの周知の装置の何れかで構成されており、例えば、流れ導管１０３Ａに磁石を取り付け、流れ導管１０３Ｂに相対するコイルを取り付ける。このコイルに交流を流して両方の導管を振動させる。適した駆動信号が、流量計電子機器２０によって、リード線１１０を介して、駆動機構１０４に送られる。
【００２３】
流量計電子機器２０は、センサー信号をそれぞれリード線１１１と１１１’で受け取る。流量計電子機器２０は、リード線１１０に駆動信号を作り出し、駆動機構１０４に流れ導管１０３Ａと１０３Ｂを振動させる。流量計電子機器２０は、質量流量を計算するためピックオフセンサー１０５と１０５’からの左右の速度信号を処理する。経路２６は、流量計電子機器２０がオペレーター又は他の電子システムとインターフェースを取ることができるようにする入力及び出力手段を提供する。図１は、コリオリ流量計の作動の例として提供したものであって、本発明の教示を限定する意図はない。
【００２４】
図２は、本発明の或る実施形態による、入力が１つで、出力が２つの流量計２００を示している。流量計２００は、図示の様に２つの出力計を備えていてもよいし、３つ以上でもよい。流量計２００は、燃料の様な流体の第１の流れと第２の流れを計量するのに用いられる。燃料には、ガソリン及びディーゼルオイルの様な従来型の燃料と、圧縮天然ガス（ＣＮＧ）、液化石油ガス（ＬＰＧ）の様な代替燃料と、様々な割合の液体成分と気体成分から成る燃料を含む、ガソリンやディーゼルオイルのこの他の代替物とが含まれる。また、他の流動物質を計量することも考えられ、それらも説明と請求項の範囲に含まれる。
【００２５】
流量計２００は、ケーシング２０１、吸入導管２０２、分流器２０３、第１流量センサー要素２０４とそれに対応する第１出力導管２０６、少なくとも第２流量センサー要素２０５とそれに対応する第２出力導管２０７、及び流量計電子機器２０を含んでいる。
【００２６】
ケーシング２０１は、分流器２０３、第１流量センサー要素２０４、第２流量センサー要素２０５、吸入導管２０２の少なくとも一部分、第１出力導管２０６の少なくとも一部分、及び第２出力導管２０７の少なくとも一部分を含んでいる。吸入導管２０２、第１出力導管２０６、及び第２出力導管２０７は、或る実施形態では、ケーシング２０１の外に伸張している。
【００２７】
分流器２０３は、吸入導管２０２に連結されており、更に、第１流量センサー要素２０４と第２流量センサー要素２０５へと連結されている。第１流量センサー要素２０４は第１出力導管２０６に連結されており、第２流量センサー要素２０５は第２出力導管２０７に連結されている。流体は、吸入導管２０２と分流器２０３を通って進入する。分流器２０３で、流体を、第１流量センサー要素２０４だけに流すこともできるし、第２流量センサー要素２０５だけに流すこともできるし、第１流量センサー要素２０４と第２流量センサー要素２０５に同時に流すこともできる。流体は、第１流量センサー要素２０４と第２流量センサー要素２０５の一方又は両方を通って流れ、第１出力導管２０６と第２出力導管２０７の一方又は両方を出る。第１流量信号及び／又は第２流量信号は、第１流量センサー要素２０４と第２流量センサー要素２０５によって生成され、リード線１００ａ及び／又は１００ｂを介して流量計電子機器２０に送られる。流量計電子機器２０は、第１流量信号及び／又は第２流量信号を受信し、対応する第１燃料流量測定値及び／又は対応する第２燃料流量測定値を生成する。第１及び第２燃料流量測定値は、流量計電子機器２０によって用いられ、燃料処理を行い、更に、経路２６を介してオペレーター又は他のコンピューター装置に送られる。その結果、入力流れは、第１出力導管２０６を通して第１流量センサー要素２０４によって計量することもでき、第２出力導管２０７を通して第２流量センサー要素２０５によって計量することもでき、又は同時に、第１出力導管２０６を通して第１流量センサー要素２０４によって、そして第２出力導管２０７を通して第２流量センサー要素２０５によって計量することもできる。流量計２００は、３つ以上の出力導管と３つの流量センサー要素を含んでいてもよいものと理解されたい。
【００２８】
分流器２０３は、入力流れを第１の流れと第２の流れに分割する。分流器２０３の或るの実施形態では、分流器２０３は、２つの流れに分割し、第１の流れと第２の流れの間の角度は約４５度である。別の実施形態では、分流器２０３は、２つの流れに分割し、第１の流れと第２の流れの間の角度は、約９０度である。２つの所与の角度は、単なる例として提供されているものと理解されたい。別の角度も考えられるし、それも、説明と請求項の範囲に含まれる。
【００２９】
第１流量センサー要素２０４と第２流量センサー要素２０５は、どの様な様式の流量センサー要素でもよい。或る実施形態では、第１流量センサー要素２０４と第２流量センサー要素２０５は、コリオリ流量計センサー要素を備えている。或る実施形態では、第１流量センサー要素２０４と第２流量センサー要素２０５は、安定性と性能の問題を回避するため、２つのセンサー要素が僅かに異なる振動特性を有するように設計されている。
【００３０】
図示の実施形態では、第１流量センサー要素２０４は、第１の流れを送るための少なくとも１つの第１流れ導管１０３ａを備えており、第２流量センサー要素２０５は、第２の流れを送るための少なくとも１つの第２流れ導管１０３ｂを備えている。少なくとも１つの第１流れ導管１０３ａと少なくとも１つの第２流れ導管１０３ｂは、図示の様に、２つの管の流量計要素を備えている。代わりに、別の実施形態では、少なくとも１つの第１流れ導管１０３ａと少なくとも１つの第２流れ導管１０３ｂは、単一管の流量計要素を備えており、更に、２つの対応するバランス管（図３参照）を含んでいる。単一流れ導管の実施形態は、計量対象流体の流体密度の範囲が狭い場合に用いられる。
【００３１】
或る実施形態では、流量センサー要素２０４と２０５は、図示の様に、実質的にＵ字型の流れ導管を備えている。代わりに、図３に示している実施形態（以下）では、流量センサー要素２０４と２０５は、実質的に真っ直ぐの流れ導管を備えている。しかしながら、別の形状も使用することができ、それも、説明と請求項の範囲に含まれる。
【００３２】
第１流量センサー要素２０４は、更に、少なくとも１つの第１流れ導管１０３ａを振動させるための第１駆動機構１０４ａと、少なくとも１つの第１流れ導管１０３ａに生じる振動運動を測定して、第１流量信号を生成するための２つ又はそれ以上の第１ピックオフセンサー１０５ａと１０５ａ’とを備えている。第２流量センサー要素２０５は、同様に更に、少なくとも１つの第２流れ導管１０３ｂを振動させるための第２駆動機構１０４ｂと、少なくとも１つの第２流れ導管１０３ｂに生じる振動運動を測定して、第２流量信号を生成するための２つ又はそれ以上の第２ピックオフセンサー１０５ｂと１０５ｂ’とを備えている。
【００３３】
或る実施形態では、流量計２００は、何れかの出口での流れの変化が、他の出口からの流動物質の可用性に影響を与えるのを防ぐために、何らかの様式の圧力調整機能を含んでいる。従って、単数又は複数の適した圧力調整器が、吸入導管２０２の前を含め、流量センサー２０４、２０５の上流の何れかの地点に含まれている。代わりに、１つ又は複数の圧力調整器が、流量センサー２０４、２０５の下流などに含まれていてもよい。
【００３４】
図３は、本発明の別の実施形態による、入力が１つで、出力が複数の流量計２００を示している。先の図面と共通の構成要素は、同じ参照番号を有している。この実施形態では、第１流量センサー要素２０４と第２流量センサー要素２０５は、バランスビーム３０４ａと３０４ｂに連結された真っ直ぐな流管導管３０３ａと３０３ｂを備えている単一管の流量計を備えている。真っ直ぐな流管導管３０３ａと３０３ｂは、第１フランジ３１０ａ及び３１１ａと第２フランジ３１０ｂ及び３１１ｂとを使って、分流器２０３、第１出力導管２０６、第２出力導管２０７に取り付けられている。
【００３５】
図４は、本発明の或る実施形態による、吸入導管２０２、第１出力導管２０６、及び第２出力導管２０７を含んでいるケーシング２０１の面を示している。この実施形態では、吸入導管２０２、第１出力導管２０６、及び第２出力導管２０７は、全てケーシング２０１の同じ外面上に在る。しかしながら、別の実施形態では、吸入導管２０２、第１出力導管２０６、及び第２出力導管２０７は、流量計２００の別の又は異なる外面上に様々に配置されている。吸入導管２０２、第１出力導管２０６、及び第２出力導管２０７は、外部導管を流量計２００に取り外し可能に取り付けられるように、ねじ（例えば、管ねじ）を含んでいてもよい。
【００３６】
、本発明による入力が１つで出力が２つの燃料計を、必要であれば幾つかの利点を提供するために、何れかの実施形態に従って用いることができる。本発明は、燃料の計量と代替燃料の分注を行う燃料計を提供する。本発明は、第１及び第２の燃料の流れを計量することのできる燃料計を提供する。
【００３７】
燃料計のコストは、構成要素を共有することで好都合に抑えられる。或る実施形態では、単一のケーシングとフィードスルーが本発明に用いられている。２つの独立した流量センサー要素が単一のハウジングに収納されているので、燃料計（及び計量システム全体）の全体的大きさが縮小され、従って、センサーをガスポンプに搭載するコストが削減される。更に、ハウジング内に２つのセンサー要素システムが収納されているので、単一の電子機器を使用して２つの流れストリームを作動させて測定する機会が広がる。
【図面の簡単な説明】
【００３８】
【図１】流量計アッセンブリと流量計電子機器を備えたコリオリ流量計を示している。
【図２】本発明の或る実施形態による、入力が１つで、出力が複数の流量計の概要図である。
【図３】本発明の別の実施形態による、入力が１つで、出力が複数の流量計の概略図である。
【図４】本発明の或る実施形態による、吸入導管、第１出力導管、及び第２出力導管を含んでいるケーシングの面を示している。
【図１】
2008531990.tif 000003
【図２】
2008531990.tif 000004
【図３】
2008531990.tif 000005
【図４】
2008531990.tif 000006
【国際調査報告】
2008531990.tif 000007
2008531990.tif 000008